(57)【要約】      （修正有）【課題】主要構成部品を１つの梱包箱に収納可能で、保管スペースのコンパクト化、輸送コストの削減が図れ、左、右側座部本体の連結式の座部本体でありながら、着座時の荷重による変形もし難い組立式ソファおよびその梱包物を提供する。【解決手段】２人掛けの組立式ソファ１０の主要部品を、その長さの中間部で２等分割したため、ソファ部品のコンパクト化が図れ、各ソファ部品を１つの角箱に重ね合わせて収納できる。また、座部本体１１を２等分割した左、右側座部本体１９、２０は、各接合側の下端部を、中間脚部１７付きの連結板で連結する。そのため、着座時、左、右側座部本体１９、２０の連結部分への荷重は、中間脚部１７が受ける。その結果、着座時の荷重での座部本体１１の変形が解消される。【選択図】図１
0003224485.tif 000002
【実用新案登録請求の範囲】
【請求項１】
座部本体と、背もたれ部本体と、座部クッションと、背もたれ部クッションと、脚部とを備えた横長な複数人掛け用の組立式ソファにおいて、
前記座部本体は、その長さ方向の中間部で左側座部本体と右側座部本体とに２等分割され、
前記背もたれ部本体は、その長さ方向の中間部で左側背もたれ部本体と右側背もたれ部本体とに２等分割され、
前記座部クッションは、その長さ方向の中間部で左側座部クッションと右側座部クッションとに２等分割、または、一人分の長さの一人分座部クッションに３つ以上分割され、
前記背もたれ部クッションは、その長さ方向の中間部で左側背もたれ部クッションと右側背もたれ部クッションとに２等分割、または、一人分の長さの一人分背もたれ部クッションに３つ以上分割され、
前記脚部は、前記左側座部本体と前記右側座部本体との互いの接合側の下端部同士を連結する連結部材に配された中間脚部を含むことを特徴とする組立式ソファ。
【請求項２】
前記左側座部本体と前記左側背もたれ部本体とは一体形成されて、Ｌ字状の左側本体部を構成し、
前記右側座部本体と前記右側背もたれ部本体とは一体形成されて、Ｌ字状の右側本体部を構成し、
前記左側背もたれ部本体の上部と前記右側背もたれ部本体の上部とは、左右一対のヒンジを介してそれぞれ内方へ折り畳み可能に設けられたことを特徴とする請求項１に記載の組立式ソファ。
【請求項３】
左右一対のひじ掛け部を有した請求項１または請求項２に記載の組立式ソファ。
【請求項４】
横長な複数人掛け用の組立式ソファをそれぞれ構成する部品である座部本体と、背もたれ部本体と、座部クッションと、背もたれ部クッションと、脚部とを、１つの梱包箱に収納した組立式ソファ梱包物であって、
前記座部本体は、その長さ方向の中間部で左側座部本体と右側座部本体とに２等分割したもので、
前記背もたれ部本体は、その長さ方向の中間部で左側背もたれ部本体と右側背もたれ部本体とに２等分割したもので、
前記座部クッションは、その長さ方向の中間部で左側座部クッションと右側座部クッションとに２等分割したものか、一人分の長さの一人分座部クッションに３つ以上分割したもので、
前記背もたれ部クッションは、その長さ方向の中間部で左側背もたれ部クッションと右側背もたれ部クッションとに２等分割したものか、一人分の長さの一人分背もたれ部クッションに３つ以上分割したもので、
前記脚部は、前記左側座部本体と前記右側座部本体との接合側の下端面同士を連結する連結部材に配された中間脚部を含むもので、
前記梱包箱は、前記座部本体を構成する前記左側座部本体および前記右側座部本体と、前記背もたれ部本体を構成する前記左側背もたれ部本体および前記右側背もたれ部本体と、前記座部クッションを構成する前記左側座部クッションおよび前記右側座部クッション、または、３つ以上の前記一人分座部クッションと、前記背もたれ部クッションを構成する前記左側背もたれ部クッションおよび前記右側背もたれ部クッション、または、３つ以上の前記一人分背もたれ部クッションと、前記連結部材に配された中間脚部を含む前記脚部とが、矩形ブロック状に積み重ねた状態で収納される角箱であることを特徴とする組立式ソファ梱包物。
【請求項５】
前記左側座部本体と前記左側背もたれ部本体とは一体形成されて、Ｌ字状の左側本体部を構成し、
前記右側座部本体と前記右側背もたれ部本体とは一体形成されて、Ｌ字状の右側本体部を構成し、
前記左側背もたれ部本体の上部と前記右側背もたれ部本体の上部とは、左右一対のヒンジを介してそれぞれ内方へ折り畳み可能に設けられ、
前記梱包箱には、左側の前記ヒンジを介して前記左側背もたれ部本体の上部を内方へ折り畳んだ状態の前記左側本体部と、右側の前記ヒンジを介して前記右側背もたれ部本体の上部を内方へ折り畳んだ状態の前記右側本体部とが、何れか一方を上下反転して矩形枠状に重ね合わせることで、内部空間を有する本体部矩形組枠として収納されたことを特徴とする請求項４に記載の組立式ソファ梱包物。
【請求項６】
前記組立式ソファ梱包物は、左右一対のひじ掛け部を有し、
これらのひじ掛け部は、前記本体部矩形組枠の内部空間に、上下重ね合わせた状態で収納されたことを特徴とする請求項５に記載の組立式ソファ梱包物。
【請求項７】
前記座部クッションと前記背もたれ部クッションとは、それぞれ圧縮袋に収納されて、圧縮梱包されたものであることを特徴とする請求項４〜請求項６のうち、何れか１項に記載の組立式ソファ梱包物。
【考案の詳細な説明】
【技術分野】
【０００１】
本考案は、複数人掛けの組立式ソファおよびその梱包物に関する。
【背景技術】
【０００２】
従来、二人掛けまたは三人掛けの組立式ソファとして、例えば、非特許文献１のように、それぞれ人数分の長さを有する座部本体、座部クッション、および、背もたれ部クッション付きの背もたれ部本体と、左右一対のひじ掛け部と、複数本の支脚とを組み立て式にすることで、梱包物のサイズを小さくし、保管スペースのコンパクト化や、輸送コストの削減を図ったものが知られている。
【先行技術文献】
【特許文献】
【０００３】
【非特許文献１】［令和１年９月１日検索］、インターネット＜ＵＲＬ：ｈｔｔｐｓ：／／ｗｗｗ．ｆｉｘｍａｎｇｏｏｄｓ．ｘｙｚ／ｐｒｏｄｕｃｔｓ−４７８９５０．ｈｔｍｌ＞
【考案の開示】
【考案が解決しようとする課題】
【０００４】
しかしながら、非特許文献１の組立式ソファでは、座部本体、座部クッション、および、背もたれ部クッション付きの背もたれ部本体が、それぞれ人数分の長さを有する大型の部品であった。そのため、この従来ソファを梱包する際には、これらの部品を個別に梱包せざるを得ず、その分、ソファ全体では梱包物の嵩が増して、保管スペースが大きく、かつ輸送コストも高騰していた。
そこで、組立式ソファのコンパクト化を図るため、長尺なソファを長さ方向へ複数分割し、隣接する分割座部本体の端部同士をボルトナットで締結することが考えられる。しかしながら、これでは使用者の着座時の荷重が座部本体の連結部分に集中し、その結果、これらの連結が緩む等して座部本体が変形するおそれがあった。
【０００５】
そこで、考案者は鋭意研究の結果、複数人掛けの組立式ソファの主要部品を、その長さの中間部で２等分割すれば、各ソファ部品を矩形ブロック状に重ね合わせて、最小サイズで１つの梱包箱に梱包できることを知見した。
また、このように座部本体を２等分割して得た左，右側座部本体については、互いの接合側の下端部同士を、中間脚部が立設された連結部材を使用して連結するように構成すれば、使用者の着座時、左，右側座部本体の連結部分に作用する荷重を中間脚部により受けることが可能なことを知見した。その結果、従来品の課題であった「着座時の荷重で左，右側座部本体の連結が緩み、座部本体が変形する」というおそれが解消されることを知見し、この考案を完成させた。
【０００６】
本考案は、このような問題点に鑑みなされたもので、組立式ソファの主要構成部品を１つの梱包箱に最小サイズで収納可能で、これにより保管スペースのコンパクト化および輸送コストの削減を図れるとともに、左，右側座部本体の連結式の座部本体でありながら、使用者の着座時の荷重による変形もしにくい組立式ソファを提供することを目的としている。
【課題を解決するための手段】
【０００７】
請求項１に記載の考案は、座部本体と、背もたれ部本体と、座部クッションと、背もたれ部クッションと、脚部とを備えた横長な複数人掛け用の組立式ソファにおいて、前記座部本体は、その長さ方向の中間部で左側座部本体と右側座部本体とに２等分割され、前記背もたれ部本体は、その長さ方向の中間部で左側背もたれ部本体と右側背もたれ部本体とに２等分割され、前記座部クッションは、その長さ方向の中間部で左側座部クッションと右側座部クッションとに２等分割、または、一人分の長さの一人分座部クッションに３つ以上分割され、前記背もたれ部クッションは、その長さ方向の中間部で左側背もたれ部クッションと右側背もたれ部クッションとに２等分割、または、一人分の長さの一人分背もたれ部クッションに３つ以上分割され、前記脚部は、前記左側座部本体と前記右側座部本体との互いの接合側の下端部同士を連結する連結部材に配された中間脚部を含むことを特徴とする組立式ソファである。
【０００８】
組立式ソファの種類は任意である。
また、組立式ソファの大きさ（使用人数）は複数人掛けであれば任意である。例えば、２人掛け、３人掛け、または、４人掛け以上でもよい。
組立式ソファの構成は、少なくとも座部本体、背もたれ部本体、座部クッションおよび背もたれ部クッションを有していればよい。例えば、左右一対のひじ掛け部や、ひじ掛けクッションを有したものでもよい。
【０００９】
組立式ソファの各部品の組立構造は任意である。隣接する部品同士をどのように組み立ててもよい。
これらの座部本体、背もたれ部本体、座部クッションおよび背もたれ部クッションの形状は、それぞれ任意である。
左側座部本体および右側座部本体の形状は、座部本体の形状に応じて適宜変更される。
左側背もたれ部本体および右側背もたれ部本体の形状は、背もたれ部本体の形状に応じて適宜変更される。
【００１０】
左側座部クッションおよび右側座部クッションの形状は、座部クッションの形状に応じて適宜変更される。
さらに、左側背もたれ部クッションおよび右側背もたれ部クッションの形状は、背もたれ部クッションの形状に応じて適宜変更される。
ここでいう「一人分座部クッション」および「一人分背もたれ部クッション」とは、３人掛け以上の組立式ソファの座部クッションおよび背もたれ部クッションを、各々その長さ方向に人数分で分割することで得られたものをいう。この場合、それぞれの人数で等分割したものでも、そうでないものでもよい。
【００１１】
脚部（中間脚部を含む）の形状は任意である。例えば、柱状、パイプ状、環枠状、板状などでもよい。
中間脚部を含む脚部の使用本数は、組み立てたソファを安定して支持できれば任意である。
特に、中間脚部の使用本数は、１本でも、２本以上でもよい。
連結部材の形状および使用数は、左側座部本体と右側座部本体との互いの接合側の下端部同士を連結可能であれば任意である。
【００１２】
また、請求項２に記載の考案は、前記左側座部本体と前記左側背もたれ部本体とは一体形成されて、Ｌ字状の左側本体部を構成し、前記右側座部本体と前記右側背もたれ部本体とは一体形成されて、Ｌ字状の右側本体部を構成し、前記左側背もたれ部本体の上部と前記右側背もたれ部本体の上部とは、左右一対のヒンジを介してそれぞれ内方へ折り畳み可能に設けられたことを特徴とする請求項１に記載の組立式ソファである。
【００１３】
ヒンジの種類および使用数は任意である。
ここでいう左，右側背もたれ部本体の上部の各折り畳み方向である”内方“とは、ソファの中央部方向を意味する。
左，右側背もたれ部本体の各上部の高さ方向の長さは、対応する座部本体から突出した部分の高さの半分が好ましい。これにより、後述する本体部矩形組枠の最小化が図れる。
【００１４】
さらに、請求項３に記載の考案は、左右一対のひじ掛け部を有した請求項１または請求項２に記載の組立式ソファである。
各ひじ掛け部の形状およびサイズは、それぞれ任意であるが、コスト、製造の容易性、重ね合わせた際のコンパクト性（梱包サイズ）などの観点から、同一形状および同一サイズが好ましい。
【００１５】
さらにまた、請求項４に記載の考案は、横長な複数人掛け用の組立式ソファをそれぞれ構成する部品である座部本体と、背もたれ部本体と、座部クッションと、背もたれ部クッションと、脚部とを、１つの梱包箱に収納した組立式ソファ梱包物であって、前記座部本体は、その長さ方向の中間部で左側座部本体と右側座部本体とに２等分割したもので、前記背もたれ部本体は、その長さ方向の中間部で左側背もたれ部本体と右側背もたれ部本体とに２等分割したもので、前記座部クッションは、その長さ方向の中間部で左側座部クッションと右側座部クッションとに２等分割したものか、一人分の長さの一人分座部クッションに３つ以上分割したもので、前記背もたれ部クッションは、その長さ方向の中間部で左側背もたれ部クッションと右側背もたれ部クッションとに２等分割したものか、一人分の長さの一人分背もたれ部クッションに３つ以上分割したもので、前記脚部は、前記左側座部本体と前記右側座部本体との接合側の下端面同士を連結する連結部材に配された中間脚部を含むもので、前記梱包箱は、前記座部本体を構成する前記左側座部本体および前記右側座部本体と、前記背もたれ部本体を構成する前記左側背もたれ部本体および前記右側背もたれ部本体と、前記座部クッションを構成する前記左側座部クッションおよび前記右側座部クッション、または、３つ以上の前記一人分座部クッションと、前記背もたれ部クッションを構成する前記左側背もたれ部クッションおよび前記右側背もたれ部クッション、または、３つ以上の前記一人分背もたれ部クッションと、前記連結部材に配された中間脚部を含む前記脚部とが、矩形ブロック状に積み重ねた状態で収納される角箱であることを特徴とする組立式ソファ梱包物である。
【００１６】
梱包箱の素材は任意である。一般的には段ボールである。
梱包箱の形状は、角箱であれば任意である。
この梱包箱に収納される具体的な部材としては、（１）座部本体を構成する左側座部本体および右側座部本体と、（２）背もたれ部本体を構成する左側背もたれ部本体および右側背もたれ部本体と、（３）座部クッションを構成する左側座部クッションおよび右側座部クッション、または、人数分（３人以上）の一人分座部クッションと、（４）背もたれ部クッションを構成する左側背もたれ部クッションおよび右側背もたれ部クッション、または、人数分（３人以上）の一人分背もたれ部クッションと、（５）連結部材に配された中間脚部を含む脚部とが挙げられる。もちろん、その他の部材が含まれてもよい。
（１）〜（５）の各部材を、梱包箱に収納可能な矩形ブロック状に積み重ねる方法（順序等）は任意である。
【００１７】
請求項５に記載の考案は、前記左側座部本体と前記左側背もたれ部本体とは一体形成されて、Ｌ字状の左側本体部を構成し、前記右側座部本体と前記右側背もたれ部本体とは一体形成されて、Ｌ字状の右側本体部を構成し、前記左側背もたれ部本体の上部と前記右側背もたれ部本体の上部とは、左右一対のヒンジを介してそれぞれ内方へ折り畳み可能に設けられ、前記梱包箱には、左側の前記ヒンジを介して前記左側背もたれ部本体の上部を内方へ折り畳んだ状態の前記左側本体部と、右側の前記ヒンジを介して前記右側背もたれ部本体の上部を内方へ折り畳んだ状態の前記右側本体部とが、何れか一方を上下反転して矩形枠状に重ね合わせることで、内部空間を有する本体部矩形組枠として収納されたことを特徴とする請求項４に記載の組立式ソファ梱包物である。
【００１８】
左，右側背もたれ部本体の各上部を折り畳んだ左，右側本体部の形状は、短尺で厚肉な左，右側背もたれ部本体を有したＬ字形となる。
上下反転するのは、左側背もたれ部本体、右側背もたれ部本体の何れでもよい。
本体部矩形組枠は、このように短尺で厚肉化した各Ｌ字形の左，右側背もたれ部本体を、矩形枠状に重ね合わせることで組み立てられる。したがって、矩形枠状の本体部矩形組枠には内部空間が存在する。この内部空間には、組立式ソファを構成する他の部品を収納することができる。
梱包箱の形状およびサイズは、少なくとも本体部矩形組枠を収納可能であれば任意である。
また、ヒンジの種類は任意である。
また、左側背もたれ部本体と右側背もたれ部本体とに使用されるヒンジの数は任意である。
【００１９】
請求項６に記載の考案は、前記組立式ソファ梱包物は、左右一対のひじ掛け部を有し、これらのひじ掛け部は、前記本体部矩形組枠の内部空間に、上下重ね合わせた状態で収納されたことを特徴とする請求項５に記載の組立式ソファ梱包物である。
各ひじ掛け部の形状およびサイズは、これらを上下に重ね合わせた状態で、本体部矩形組枠の内部空間に収納可能であれば任意である。
【００２０】
請求項７に記載の考案は、前記座部クッションと前記背もたれ部クッションとは、それぞれ圧縮袋に収納されて、圧縮梱包されたものであることを特徴とする請求項４〜請求項６のうち、何れか１項に記載の組立式ソファ梱包物である。
【００２１】
圧縮梱包された座部クッション、背もたれ部クッションの圧縮形状は任意である。例えば、平板状とすることで、本体部矩形組枠が収納された梱包箱の狭いスペースに収納することができる。
なお、その他の各種クッション、例えば、左右一対のひじ掛け部クッション等も同様の圧縮状態で梱包することができる。
圧縮袋の種類およびサイズは任意である。１つの圧縮袋に収納されるクッションの種類や個数は任意である。
各クッションを圧縮する方法は任意である。例えば、真空圧縮などでもよい。
【考案の効果】
【００２２】
請求項１および請求項４に記載の本考案によれば、複数人掛けの組立式ソファの主要部品を、その長さの中間部で２等分割したため、梱包時には、これらのソファ部品を矩形ブロック状に重ね合わせて、１つの梱包箱に最小サイズで収納（梱包）することができる。
また、このように座部本体を２等分割して得た左，右側座部本体については、ソファ使用時、互いの接合側の下端部同士を、中間脚部が立設された連結部材を介して連結する。これにより、使用者の着座時、左，右側座部本体の連結部分に作用する荷重は中間脚部により受けることができる。その結果、着座時の荷重で左，右側座部本体の連結が緩み、座部本体が変形するというおそれが解消される。
【００２３】
特に、請求項２および請求項５に記載の考案によれば、左側背もたれ部本体の上部と右側背もたれ部本体の上部とを、対応するヒンジを介してそれぞれ内方へ折り畳むことができる。これにより、各折り畳んだ状態の左，右側本体部の何れか一方を上下反転し、その後、これらを矩形枠状に重ね合わせて本体部矩形組枠を組み立てることにより、梱包箱にコンパクトに収納することができる。
【００２４】
また、請求項３および請求項６に記載の考案によれば、組立式ソファに左右一対のひじ掛け部を配することで、ソファ使用時、使用者の着座時のリラックス感を高めることができる。
組立式ソファ梱包物は、左右一対のひじ掛け部を有し、特に請求項６の場合、これらのひじ掛け部は、本体部矩形組枠の内部空間に、上下重ね合わせた状態で収納することで、ひじ掛け部付きの組立式ソファをさらにコンパクトに梱包することができる。
【００２５】
さらに、請求項７に記載の本考案によれば、座部クッションと背もたれ部クッションとを、それぞれ圧縮袋に入れて圧縮梱包したため、本体部矩形組枠を収納した梱包箱の狭い空間に嵩張るこれらのクッションをコンパクトに収納することができる。
【図面の簡単な説明】
【００２６】
【図１】本考案の実施例１に係る組立式ソファの使用状態の斜視図である。
【図２】本考案の実施例１に係る組立式ソファの一部を構成するソファ本体の組立状態を示す斜視図である。
【図３】本考案の実施例１に係る組立式ソファの一部を構成するひじ掛け部の取り付け作業状態を示す斜視図である。
【図４】本考案の実施例１に係る組立式ソファの一部を構成する左，右側座部本体の連結作業状態を示す要部拡大斜視図である。
【図５】本考案の実施例１に係る組立式ソファの一部を構成する左，右側座部本体の中間脚部付きの連結部材による連結作業状態を示す斜視図である。
【図６】本考案の実施例１に係る組立式ソファ梱包物の斜視図である。
【図７】本考案の実施例２に係る組立式ソファの使用状態の斜視図である。
【図８】本考案の実施例２に係る組立式ソファの一部を構成するソファ本体の組立直前の状態を示す斜視図である。
【図９】本考案の実施例２に係る組立式ソファの一部を構成する左側座部本体への左側座面下板の連結作業状態を示す斜視図である。
【図１０】本考案の実施例２に係る組立式ソファの一部を構成する背もたれ部本体への背板カバーの連結作業状態を示す斜視図である。
【図１１】本考案の実施例２に係る組立式ソファの一部を構成する左，右側座部本体の中間脚部付きの連結部材による連結作業状態を示す斜視図である。
【図１２】本考案の実施例２に係る組立式ソファ梱包物の断面図である。
【考案を実施するための形態】
【００２７】
以下、本考案の実施例を具体的に説明する。
【実施例】
【００２８】
図１および図２において、１０は本考案の実施例１に係る横長な２人掛けの組立式ソファである。この組立式ソファ１０は、座部本体１１と、背もたれ部本体１２と、左右一対のひじ掛け部１３，１４と、座部クッション１５と、背もたれ部クッション１６と、２本の中間脚部１７を含む合計６本の脚部１８とを備えている。
【００２９】
以下、これらの構成体を具体的に説明する。
図２に示すように、横長な座部本体１１は、その長さ方向の中間部で、左側座部本体１９と右側座部本体２０とに２等分割されている。左側座部本体１９は、骨組みである平面視して矩形状の左側矩形枠２１を有し、右側座部本体２０は、骨組みの平面視して矩形状の右側矩形枠２２を有している（図４を参照）。また、左，右側座部本体１９，２０の各表面には、それぞれ図示しない布生地が表装されている。
【００３０】
図４に示すように、左側座部本体１９の右側枠２３のうち、その長さ方向の両端部と、右側座部本体２０の左側枠２４のうち、その長さ方向の両端部とには、各対峙位置に一対の貫通孔ａがそれぞれ形成されている。
また、図３に示すように、左側座部本体１９の左側面の奥部と、右側座部本体２０の右側面の奥部とには、下向きの掛止爪２５ａを長さ方向の中間部に有した角バンド状の第１の雄金具２５が、１つずつ固定されている。
一方、左側座部本体１９の左側面の先部と、右側座部本体２０の右側面の先部とには、下細りテーパ状の第２の雄金具２６が１つずつ固定されている。これらの第２の雄金具２６は、下方へ向かって徐々に幅狭となったテーパ状固定板２７をそれぞれ有し、各テーパ状固定板２７の左，右側端に、下方へ向かって徐々に間隔が狭まる左右一対のテーパ状掛止枠２８がそれぞれ屈曲形成されたものである。
【００３１】
また、図２および図３に示すように、横長な背もたれ部本体１２は、その長さ方向の中間部で、左側背もたれ部本体２９と右側背もたれ部本体３０とに２等分割されている。これらの表面には、それぞれ図示しない布生地が表装されている。
このうち、左側背もたれ部本体２９は左側座部本体１９と一体形成されて、Ｌ字状の左側本体部３１を構成している。
一方、右側背もたれ部本体３０は右側座部本体２０と一体形成されて、Ｌ字状の右側本体部３２を構成している。
【００３２】
さらに、左側背もたれ部本体２９の上部２９ａと右側背もたれ部本体３０の上部３０ａとは、左右一対のヒンジ３３を介してそれぞれ内方へ折り畳み可能に設けられている。これらの上部２９ａ，３０ａを内折りすることで、対応する座部本体１１から突出した左，右側背もたれ部本体２９，３０の高さが半分になる。このとき、左，右側背もたれ部本体２９，３０は、それぞれ上方へ向かうほど徐々に内面が外方へ傾斜して先細り化している。そのため、２つ折りされた左，右側背もたれ部本体２９，３０は、側面視してそれぞれ矩形ブロック状となる。
【００３３】
左側背もたれ部本体２９の左側面の下端部と、右側背もたれ部本体３０の右側面の下端部とには、それぞれ第３の雄金具３４が１つずつ固定されている。これらの第３の雄金具３４は、上下方向へ細長い短冊状固定板３５をそれぞれ有し、各短冊状固定板３５の左，右側端に、左右一対の平行状掛止枠３６がそれぞれ屈曲形成されたものである。
【００３４】
図２および図３に示すように、左右一対のひじ掛け部１３，１４は、前後方向へ長い矩形状の部材である。これらの表面には、それぞれ図示しない布生地が表装されている。
左ひじ掛け部１３の右側面の奥下部付近および右ひじ掛け部１４の左側面の奥下部付近には、左，右側座部本体１９，２０の対応する第１の雄金具２５に掛止可能な上向きの掛止爪３７ａ付きの第１の雌金具３７が１つずつ固定されている（図３を参照）。各第１の雌金具３７は、前記第１の雄金具２５をそれぞれ上下反転した形状のものである。
【００３５】
また、左ひじ掛け部１３の右側面の先端下部および右ひじ掛け部１４の左側面の先端下部には、左，右側座部本体１９，２０の対応する第２の雄金具２６に掛止可能な第２の雌金具３８がそれぞれ固定されている。これらの第２の雌金具３８は、下方へ向かって徐々に幅狭となったテーパ状固定板３９をそれぞれ有し、かつ各テーパ状固定板３９の左，右側端に、下方へ向かって徐々に間隔が狭まる一対のテーパ状掛止枠４０がそれぞれ屈曲形成されたものである。
さらに、左ひじ掛け部１３の右側面の奥部および右ひじ掛け部１４の左側面の奥部には、左，右側背もたれ部本体２９，３０の対応する第３の雄金具３４に掛止可能な、上下方向に細長い短冊状の第３の雌金具４１が１つずつ固定されている。各第３の雌金具４１は、上下方向へ細長い短冊状固定板４２をそれぞれ有し、各短冊状固定板４２の左，右側端に、左右一対の平行状掛止枠４３がそれぞれ屈曲形成されたものである。
【００３６】
図１に示すように、座部クッション１５は、その長さ方向の中間部で、左側座部クッション４４と右側座部クッション４５とに２等分割されている。
背もたれ部クッション１６は、その長さ方向の中間部で、左側背もたれ部クッション４７と右側背もたれ部クッション４８とに２等分割されている。
【００３７】
図１および図５に示すように、４本の脚部１８は、下方に向かって先細りした丸棒で、それらの底面には滑り止め用シート５０が配設られている。各脚部１８の上面には、連結ねじ５１がそれぞれ立設されている。これらの連結ねじ５１は、各ひじ掛け部１３，１４の底面のうち、前後方向の両端部に配された合計４つのねじ孔５２に螺合される。
各中間脚部１７は、横長な矩形状の連結板（連結部材）５３の下面中央部に上端部（基端部）が固定されたそれぞれ円柱である。
また、各連結板５３は、その長さ方向の両端部に、一対のビス孔ｂがそれぞれ形成された鉄板である。ソファ組立時において、これらのビス孔ｂは、左，右側座部本体１９，２０の各突合せ側の端部のうち、前後方向の両端部の下面に配された各一対の別のビス孔ｂ１と対峙される。また、各中間脚部１７は、対応する連結板５３の下面の中央部に固定されている。
【００３８】
図６に示すように、組立式ソファ１０は、梱包する際に各構成体（部品）に分解されて、図６の二点鎖線に示す１個の角箱５４に収納された組立式ソファ梱包物５５となる。
以下、組立式ソファ１０を角箱５４に収納する手順について説明する。
まず、１枚の矩形状の圧縮袋４６に、左側座部クッション４４と左側背もたれ部クッション４７とを重ね合わせて収納し、真空パックする。同様に、別の圧縮袋４９に、右側座部クッション４５と右側背もたれ部クッション４８とを重ね合わせて収納し、真空パックしておく。
【００３９】
次に、ヒンジ３３を介して左側背もたれ部本体２９の上部２９ａを内方へ折り畳んだ状態の左側本体部３１と、別のヒンジ３３を介して右側背もたれ部本体３０の上部３０ａを内方へ折り畳んだ状態の右側本体部３２とを、左側本体部３１を上下反転した状態で矩形枠状に重ね合わせることで、本体部矩形組枠５６とする。
このとき、本体部矩形組枠５６の内部空間Ｓには、上下に重ね合おわせた２枚のひじ掛け部１３，１４と、２本の中間脚部１７を含む合計６本の脚部１８とをそれぞれ収納している。
その後、本体部矩形組枠５６の上面に、真空パックされた各クッション１５，１６を重ね合わせた状態で載置する。なお、各中間脚部１７および各脚部１８は、これらのクッション１５，１６の上または下に並べてもよい。
【００４０】
次に、図１〜図６を参照して、角箱５５に梱包された組立式ソファ１０の組み立て方法について具体的に説明する。
まず、図６に示す角箱５４の中から、各脚部（各中間脚部１７を含む）１８、各クッション１５，１６とともに矩形ブロック状となった本体部矩形組枠５６を取り出す。
その後、図３に示すように、第１〜３の雄金具２５，２６，３４と、対応する第１〜３の雌金具３７，３８，４１とをそれぞれ掛止して、左のひじ掛け部１３に左側本体部３１を連結するとともに、右のひじ掛け部１４に右側本体部３２を連結する（図２を参照）。
【００４１】
次に、図４に示すように、左，右側本体部３１，３２をそれぞれ横倒してから、隣接する左側座部本体１９の右側枠２３と、右側座部本体２０の左側枠２４とを突き合わせる。このとき、左，右側枠２３，２４の重なり合った２対のボルト孔ａにそれぞれボルトＢを挿入し、左右一対のワッシャＷを介して、対応するナットＮを螺合することで、左，右側本体部３１，３２を連結する。
その後、図５に示すように、左側座部本体１９の右側枠２３の下面と、右側座部本体２０の左側枠２４の下面とに、対応する連結板５３を当接し、重ね合わされた２対のビス孔ｂと別のビス孔ｂ１とに、それぞれワッシャＷを介して、合計４本のビスＢ１を挿入してねじ込み、これらの連結板５３を左，右側枠２３，２４の前後方向の両端部にそれぞれ固定する。これにより、２本の中間脚部１７が、左，右側座部本体１９，２０の長さ方向の中間部の下面に堅固に取り付けられる。その後、４本の脚部１８の連結ねじ５１を、左，右のひじ掛け部１３，１４の下面の各ねじ孔５２に螺合し、各脚部１７，１８を組立式ソファ１０にそれぞれ取り付ける。
【００４２】
次いで、図２に示すように、左，右側本体部３１，３２を起こして、左，右側背もたれ部本体２９，３０の上部２９ａ，３０ａを、各ヒンジ３３を介してそれぞれ立ち上げる。これにより、組立式ソファ１０の骨組みとなるソファ本体部６０が完成する。
最後に、図６に示す各圧縮袋４６，４９から各クッション１５，１６を取り出して膨らませ、その後、図１に示すように、それらを左，右側座部本体１９，２０と左，右側背もたれ部本体３１，３２との所定の位置にそれぞれ載置することで、組立式ソファ１０の組み立てが完了する。
なお、図１中の符号６１は後付けの丸形クッションである。これも圧縮袋４６，４９の何れかに収納し、圧縮梱包してもよい。
【００４３】
このように、２人掛けの組立式ソファ１０の主要部品を、その長さの中間部で２等分割したため、梱包時には、これらのソファ部品を矩形ブロック状に重ね合わせて、１つの角箱５４に最小サイズで収納（梱包）することができる。
また、このように左，右側座部本体１９の接合側の下端部同士を、中間脚部１７が立設された連結板５３を介して連結するように構成している。そのため、使用者の着座時、左，右側座部本体１９，２０の連結部分に作用する荷重は中間脚部１７により受けることができる。その結果、着座時の荷重で左，右側座部本体１９，２０の連結が緩み、座部本体１１が変形するというおそれが解消される。
【００４４】
さらに、左側背もたれ部本体２９の上部２９ａと右側背もたれ部本体３０の上部３０ａとを、対応するヒンジ３３を介してそれぞれ内方へ折り畳めるように構成されている。これにより、折り畳んだ状態の左側本体部３１を上下反転し、その後、これらを矩形枠状に重ね合わせて本体部矩形組枠５６を組み立てることで、本体部矩形組枠５６を含む組立式ソファ１０の全部品を角箱５４にコンパクトに収納することができる。
【００４５】
また、組立式ソファ１０には、左右一対のひじ掛け部１３，１４を配設したため、使用者の着座時のリラックス感を高めることができる。
さらに、組立式ソファ梱包物５５にあっては、左右一対のひじ掛け部１３，１４を本体部矩形組枠５６の内部空間Ｓに、上下重ね合わせた状態で収納するように構成した。そのため、ひじ掛け部付きの組立式ソファ１０をさらにコンパクトに梱包することができる。
さらにまた、座部クッション１５と背もたれ部クッション１６とをそれぞれ圧縮梱包したため、本体部矩形組枠５６が収納された角箱５４の残り空間に、嵩張ることなく各クッション１５，１６をコンパクトに収納することができる。
【００４６】
次に、図７〜図１２を参照して本考案の実施例２に係る組立式ソファおよびその梱包物について説明する。
図７および図８に示すように、実施例２の組立式ソファ１０Ａは、２人掛け用の実施例１のものに比べて横長な３人掛け用のソファである。この組立式ソファ１０Ａは、各１．５人掛分の長さを有する左側座部本体１９Ａおよび右側座部本体２０Ａからなる座部本体１１Ａと、各１．５人掛分の長さの左側背もたれ部本体２９Ａおよび右側背もたれ部本体３０Ａからなる背もたれ部本体１２Ａと、幅広な左右一対のひじ掛け部１３Ａ，１４Ａと、各一人分の長さの３つの一人分座部クッション７０からなる座部クッション１５Ａと、各一人分の長さの３つの一人分背もたれ部クッション７１からなる背もたれ部クッション１６Ａと、左右一対のひじ掛け部クッション７２，７３と、２本の中間脚部１７を含む合計６本の脚部１８とを備えている。
【００４７】
以下、実施例２の組立式ソファ１０Ａの特徴的な構成について説明する。
図８および図９に示すように、左側座部本体１９Ａの前端には、幅方向を上下に向けた横長な左側座面下板７４の上縁部が、一対のワッシャＷと一対の連結ボルトＢを介して、ねじ込みにより連結されている。一方、右側座部本体２０Ａの前端には、横長な右側座面下板７５の上縁部が、一対のワッシャＷと一対の連結ボルトを介して、ねじ込みにより連結される。
【００４８】
左，右側座面下板７４，７５の上部内面には、横方向へ細長い角棒である左右一対の水平ガイド枠７６がそれぞれ固定されている。一方、左側座面下板７４の左端部の内面と、右側座面下板７５の右端部の内面とには、短尺で太い左右一対の連結用角棒７７がそれぞれ固定される。左側の連結用角棒７７の左側面と、右側の連結用角棒７７の右側面とには、それぞれ第２の雄金具２６が固定されている。
また、左，右側座部本体１９Ａ，２０Ａの奥側の両角部の上面には、対応する左，右側背もたれ部本体２９Ａ，３０Ａを連結するための左右一対の短尺な角パイプ７８が、後方へ上方傾斜状態でそれぞれ立設されている。
【００４９】
左，右側背もたれ部本体２９Ａ，３０Ａは、矩形板からなる。これらの下側の両角部には、短尺な連結角棒７７がそれぞれ突設されている。各連結角棒７７は、対応する角パイプ７８に抜き差し自在となっている。
なお、使用時に連結された左，右側背もたれ部本体２９Ａ，３０Ａの背後には、これらの２倍の長さを有する背板カバー７９が配され、連結が強化されている（図１０を参照）。この背板カバー７９は必要により使用されるもので、後述する角箱５４Ａとは別に梱包される。
さらに、図７に示すように、左右一対のひじ掛け部クッション７２，７３は、前後方向に長い矩形状のクッションである。
さらにまた、実施例２の各中間脚部１７の連結板５３Ａは、略正方形の板材で、実施例１の連結板５３と同様に使用される（図１１を参照）。
【００５０】
図１２に示すように、上述した実施例２の組立式ソファ１０Ａは、梱包する際に、各構成体（部品）に分解されて、実施例１の角箱５４より大型な、１個の角箱５４Ａに収納されて組立式ソファ梱包物５５Ａとなる。
なお、この組立式ソファ１０Ａを角箱５４Ａに収納する手順は、上下に重ね合わせた左，右側座部本体１９Ａ，２０Ａの上に、上下に重ね合わせた左，右側背もたれ部本体２９Ａ，３０Ａを載置し、またその上に左，右側座面下板７４，７５を重ね合わせる。
【００５１】
その後、これらの積層体の上に残りの部材が順次載置される。すなわち、圧縮袋８０に真空パックされた左側の各クッション（左側の一人分座部クッション７０、左側の一人分背もたれ部クッション７１および左のひじ掛け部クッション７２）と、圧縮袋８１に真空パックされた中央の各クッション（中央の一人分座部クッション７０および中央の一人分背もたれ部クッション７１）と、圧縮袋８２に真空パックされた右側の各クッション（右側の一人分座部クッション７０、右側の一人分背もたれ部クッション７１および右のひじ掛け部クッション７３）と、左，右のひじ掛け部１３Ａ，１４Ａと、２本の中間脚部１７と、４本の脚部１８とが積み重ねられる。
【００５２】
このように、実施例２の組立式ソファ１０Ａは、３人掛けの組立式ソファの主要部品を、その長さの中間部で２等分割したため、梱包時には、これらのソファ部品を矩形ブロック状に重ね合わせて、１つの角箱５４Ａに最小サイズで収納することができる。
また、組立式ソファ１０Ａに左右一対のひじ掛けクッション７２，７３付きのひじ掛け部１３Ａ，１４Ａを配したため、使用者の着座時のリラックス感をさらに高めることができる。
さらに、各圧縮袋８０〜８２に、それぞれ対応する一人分座部クッション７０、一人分背もたれ部クッション７１およびひじ掛けクッション７２，７３を、それぞれ圧縮梱包したため、ソファ本体部６０Ａの各部品を収納した梱包箱５５Ａの狭い空間に、嵩張るこれらのクッション７０〜７３をコンパクトに収納することができる。
なお、その他の構成、作用および効果は、実施例１から推測可能であるため、説明を省略する。
【産業上の利用可能性】
【００５３】
本考案は、複数人掛けの組立式ソファおよびその梱包物の技術として有用である。
【符号の説明】
【００５４】
１０，１０Ａ  組立式ソファ
１１，１１Ａ  座部本体
１２，１２Ａ  背もたれ部本体
１３，１３Ａ  左のひじ掛け部
１４，１４Ａ  右のひじ掛け部
１５，１５Ａ  座部クッション
１６，１６Ａ  背もたれ部クッション
１７  中間脚部
１８  脚部
１９，１９Ａ  左側座部本体
２０，２０Ａ  右側座部本体
２９  左側背もたれ部本体
２９ａ，３０ａ  上部
３０  右側背もたれ部本体
３１，３１Ａ  左側本体部
３２，３２Ａ  右側本体部
３３  ヒンジ
４４  左側座部クッション
４５  右側座部クッション
４６，４９，８０〜８２  圧縮袋
４７  左側背もたれ部クッション
４８  右側背もたれ部クッション
５３，５３Ａ  連結板（連結部材）
５４，５４Ａ  角箱（梱包箱）
５５，５５Ａ  組立式ソファ梱包物
５６  本体部矩形組枠
７０  一人分座部クッション
７１  一人分背もたれ部クッション
【図１】
0003224485.tif 000003
【図２】
0003224485.tif 000004
【図３】
0003224485.tif 000005
【図４】
0003224485.tif 000006
【図５】
0003224485.tif 000007
【図６】
0003224485.tif 000008
【図７】
0003224485.tif 000009
【図８】
0003224485.tif 000010
【図９】
0003224485.tif 000011
【図１０】
0003224485.tif 000012
【図１１】
0003224485.tif 000013
【図１２】
0003224485.tif 000014